(57)【要約】  車両ミクロ気候システムは、乗員にマクロ気候環境を提供する内部空間に配置されるように構成されているミクロ気候装置を含む。ミクロ気候装置は、乗員にミクロ気候環境を提供するように構成されている。ミクロ気候装置は、マクロ気候環境に露出される他の乗員部位と比較して高い温度受容性反応を有する乗員の部位に近接するように構成されている。制御装置はミクロ気候装置との通信状態にある。制御装置は、乗員個人快適性を判断し、乗員個人快適性に応じて自動的にミクロ気候装置に命令して所望の乗員個人快適性を達成するように構成されている。
2017536287.tif 000002
【特許請求の範囲】
【請求項１】
乗員にマクロ気候環境を提供する内部空間に配置されるように構成されているミクロ気候装置であって、前記乗員にミクロ気候環境を提供するように構成されているミクロ気候装置であり、前記マクロ気候環境に露出される他の乗員部位と比較して高い熱受容性反応を有する前記乗員の部位に近接するように構成されているミクロ気候装置と、
前記ミクロ気候装置との通信状態にある制御装置であって、乗員個人快適性を判断し、前記乗員個人快適性に応じて自動的に前記ミクロ気候装置に命令して所望の乗員個人快適性を達成するように構成されている制御装置と、
を包含する車両ミクロ気候システム。
【請求項２】
前記マクロ気候環境を提供するように構成されているＨＶＡＣ熱調節システムを包含する、請求項１に記載の車両ミクロ気候システム。
【請求項３】
内燃エンジンと電気モータシステムと燃料電池のうち少なくとも一つを包含し、前記内燃エンジンと前記電気モータシステムと前記燃料電池のうち少なくとも一つによって前記ＨＶＡＣ熱調節システムが駆動される、請求項２に記載の車両ミクロ気候システム。
【請求項４】
多数のミクロ気候装置を有する補助的熱調節システムを包含し、前記多数のミクロ気候装置が、ステアリングホイールとシートとドアパネルとアームレストとウィンドウデフォッガとダッシュパネルとルーフパネルのうち少なくとも一つにより設けられる、請求項１に記載の車両ミクロ気候システム。
【請求項５】
前記乗員の部位が、手と足と首と顔と脚と腕と頭と胴体のうち少なくとも一つを含む、請求項１に記載の車両ミクロ気候システム。
【請求項６】
前記制御装置が、前記乗員に対応するユーザプロファイルを提供する乗員特性を有するメモリを含み、前記乗員個人快適性の判断に前記ユーザプロファイルを使用するように前記制御装置が構成されている、請求項１に記載の車両ミクロ気候システム。
【請求項７】
前記乗員特性が、性別と身長と体重と乗員提供による快適性データのうち少なくとも一つを含む、請求項６に記載の車両ミクロ気候システム。
【請求項８】
前記メモリが、ミクロ気候プロファイルを備える少なくとも一つのルックアップテーブルを含み、少なくとも一つのユーザ入力に基づいて前記ミクロ気候プロファイルを修正するように前記制御装置が構成されている、請求項６に記載の車両ミクロ気候システム。
【請求項９】
前記制御装置との通信状態にある乗員快適性センサを包含し、前記乗員快適性センサが、前記乗員特性を検出するように構成され、前記検出された乗員特性を前記乗員個人快適性の判断に使用するように前記制御装置が構成されている、請求項６に記載の車両ミクロ気候システム。
【請求項１０】
前記乗員特性が、乗員深部温度と乗員皮膚温度と乗員皮膚水分量とマクロ気候湿度とマクロ気候温度のうち少なくとも一つを含む、請求項９に記載の車両ミクロ気候システム。
【請求項１１】
前記ユーザプロファイルと、前記ユーザプロファイルに関連するミクロ気候プロファイルとに応じて前記ミクロ気候装置への命令を調整するように前記制御装置が構成されている、請求項９に記載の車両ミクロ気候システム。
【請求項１２】
前記内部空間の外側の車両外部環境を評価し、前記マクロ気候環境を評価し、前記ミクロ気候環境を評価して、前記乗員個人快適性を判断するように前記制御装置が構成されている、請求項１に記載の車両ミクロ気候システム。
【請求項１３】
ユーザプロファイルとミクロ気候プロファイルとに応じてマクロ気候装置に命令するように前記制御装置が構成されている、請求項２に記載の車両ミクロ気候システム。
【請求項１４】
前記車両外部環境が、車両位置と時刻と気候条件のうち少なくとも一つを含む外側パラメータに対応する、請求項１２に記載の車両ミクロ気候システム。
【請求項１５】
前記制御装置が、傾眠パラメータに基づいて乗員傾眠を検出するように構成されている傾眠モジュールを含み、前記ミクロ気候装置が前記傾眠パラメータに応じて命令される、請求項１に記載の車両ミクロ気候システム。
【請求項１６】
前記制御装置が、太陽負荷パラメータに基づいて車両への太陽負荷を検出するように構成されている太陽負荷モジュールを含み、前記ミクロ気候装置が前記太陽負荷パラメータに応じて命令される、請求項１４に記載の車両ミクロ気候システム。
【請求項１７】
前記制御装置が、表面温度感受性パラメータに基づいて乗員表面温度感受性を検出するように構成されている表面温度感受性モジュールを含み、前記ミクロ気候装置が前記表面温度感受性パラメータに応じて命令される、請求項１に記載の車両ミクロ気候システム。
【請求項１８】
前記制御装置が、幼児用シートパラメータに基づいて乗員幼児用シートを検出するように構成されている幼児用シートモジュールを含み、前記ミクロ気候装置が前記幼児用シートパラメータに応じて命令される、請求項１に記載の車両ミクロ気候システム。
【請求項１９】
前記制御装置が、遠隔始動入力パラメータに基づいて遠隔始動入力を検出するように構成されている遠隔始動モジュールを含み、前記ミクロ気候装置が前記遠隔始動入力パラメータに応じて命令される、請求項１に記載の車両ミクロ気候システム。
【請求項２０】
前記制御装置が、気候調節推移パラメータに基づいて所望の気候調節推移を検出するように構成されている気候調節推移モジュールを含み、前記ミクロ気候装置が前記気候調節推移パラメータに応じて命令される、請求項１に記載の車両ミクロ気候システム。
【請求項２１】
乗員にマクロ気候環境を提供する内部空間に配置されるように構成されているミクロ気候装置であって、前記乗員にミクロ気候環境を提供するように構成されているミクロ気候装置と、
前記ミクロ気候装置との通信状態にある制御装置であって、太陽負荷と乗員個人快適性とを判断するように構成されている制御装置であり、前記太陽負荷と前記乗員個人快適性とに応じて自動的に前記ミクロ気候装置に命令して所望の乗員個人快適性を達成するように構成されている制御装置と、
を包含する車両ミクロ気候システム。
【請求項２２】
マクロ気候環境を提供するように構成されているＨＶＡＣ熱調節システムを包含する、請求項２１に記載の車両ミクロ気候システム。
【請求項２３】
多数のミクロ気候装置を有する補助的熱調節システムを包含し、前記多数のミクロ気候装置が、ステアリングホイールとシートとドアパネルとアームレストとウィンドウデフォッガとダッシュパネルとルーフパネルのうち少なくとも一つにより設けられる、請求項２１に記載の車両ミクロ気候システム。
【請求項２４】
前記制御装置が、前記乗員に対応するユーザプロファイルを提供する乗員特性を有するメモリを含み、前記乗員個人快適性を判断するのに前記ユーザプロファイルを使用するように前記制御装置が構成されている、請求項２１に記載の車両ミクロ気候システム。
【請求項２５】
前記乗員特性が、性別と身長と体重と乗員提供による快適性データのうち少なくとも一つを含む、請求項２４に記載の車両ミクロ気候システム。
【請求項２６】
前記メモリが、ミクロ気候プロファイルを備える少なくとも一つのルックアップテーブルを含み、少なくとも一つのユーザ入力に基づいて前記ミクロ気候プロファイルを修正するように前記制御装置が構成されている、請求項２４に記載の車両ミクロ気候システム。
【請求項２７】
前記制御装置との通信状態にある乗員快適性センサを包含し、前記乗員特性を検出するように前記乗員快適性センサが構成され、検出された前記乗員特性を前記乗員個人快適性の判断に使用するように前記制御装置が構成されている、請求項２４に記載の車両ミクロ気候システム。
【請求項２８】
前記乗員特性が、乗員深部温度と乗員皮膚温度と乗員皮膚水分量とマクロ気候湿度とマクロ気候温度のうち少なくとも一つを含む、請求項２７に記載の車両ミクロ気候システム。
【請求項２９】
前記ユーザプロファイルと、前記ユーザプロファイルに関連するミクロ気候プロファイルとに応じて前記ミクロ気候装置への命令を調整するように前記制御装置が構成されている、請求項２７に記載の車両ミクロ気候システム。
【請求項３０】
前記内部空間の外側の車両外部環境を評価し、前記マクロ気候環境を評価し、前記ミクロ気候環境を評価して前記乗員個人快適性を判断するように前記制御装置が構成されている、請求項２１に記載の車両ミクロ気候システム。
【請求項３１】
前記車両外部環境が、車両位置と時刻と気候条件のうち少なくとも一つを含む外側パラメータに対応する、請求項３０に記載の車両ミクロ気候システム。
【請求項３２】
車両位置と、車両走行方向と、検出された光度および太陽位置のうち少なくとも一つに基づいて前記太陽負荷を判断するように前記制御装置が構成されている、請求項３０に記載の車両ミクロ気候システム。
【請求項３３】
乗員にマクロ気候環境を提供する内部空間に配置されるように構成されているミクロ気候装置であって、前記乗員にミクロ気候環境を提供するように構成されているミクロ気候装置と、
前記ミクロ気候装置との通信状態にある制御装置であって、気候調節推移パラメータに基づいて所望の気候調節推移を検出して、乗員個人快適性を判断するように構成されている制御装置であり、前記ミクロ気候装置が、前記気候調節推移パラメータと前記乗員個人快適性とに応じて命令されて所望の乗員個人快適性を達成する、制御装置と、
を包含する車両ミクロ気候システム。
【請求項３４】
前記気候調節推移が暖房と冷房と中間のモードを含み、暖房モードが、前記乗員により多くの熱が所望される条件に対応し、冷房モードが、前記乗員により多くの冷房が所望される別の条件に対応し、中間モードが、現在熱的環境が前記乗員にとって快適であるまた別の条件に対応し、前記ミクロ気候装置とマクロ気候装置の少なくとも一方において中間モードで自動的に命令して所望の乗員個人快適性を達成するように前記制御装置が構成されている、請求項３３に記載の車両ミクロ気候システム。
【請求項３５】
前記マクロ気候環境を提供するように構成されているＨＶＡＣ熱調節システムを包含する、請求項３４に記載の車両ミクロ気候システム。
【請求項３６】
多数の前記ミクロ気候装置を有する補助的熱調節システムを包含し、多数の前記ミクロ気候装置が、ステアリングホイールとシートとドアパネルとアームレストとウィンドウデフォッガとダッシュパネルとルーフパネルのうち少なくとも一つにより設けられる、請求項３４に記載の車両ミクロ気候システム。
【請求項３７】
前記制御装置が、前記乗員に対応するユーザプロファイルを提供する乗員特性を有するメモリを含み、前記乗員個人快適性の判断に前記ユーザプロファイルを使用するように前記制御装置が構成されている、請求項３３に記載の車両ミクロ気候システム。
【請求項３８】
前記乗員特性が、性別と身長と体重と乗員提供による快適性データのうち少なくとも一つを含む、請求項３７に記載の車両ミクロ気候システム。
【請求項３９】
前記メモリが、ミクロ気候プロファイルを備える少なくとも一つのルックアップテーブルを含み、少なくとも一つのユーザ入力に基づいて前記ミクロ気候プロファイルを修正するように前記制御装置が構成されている、請求項３７に記載の車両ミクロ気候システム。
【請求項４０】
前記制御装置との通信状態にある乗員快適性センサを包含し、前記乗員特性を検出するように前記乗員快適性センサが構成され、検出された前記乗員特性を前記乗員個人快適性の判断に使用するように前記制御装置が構成されている、請求項３７に記載の車両ミクロ気候システム。
【請求項４１】
前記乗員特性が、乗員深部温度と乗員皮膚温度と乗員皮膚水分量とマクロ気候湿度とマクロ気候温度のうち少なくとも一つを含む、請求項３７に記載の車両ミクロ気候システム。
【請求項４２】
前記内部空間の外側の車両外部環境を評価し、前記マクロ気候環境を評価し、前記ミクロ気候環境を評価して前記乗員個人快適性を判断するように前記制御装置が構成されている、請求項３７に記載の車両ミクロ気候システム。
【請求項４３】
前記車両外部環境が、車両位置と時刻と気候条件のうち少なくとも一つを含む外側パラメータに対応する、請求項４２に記載の車両ミクロ気候システム。
【発明の詳細な説明】
【技術分野】
【０００１】
（関連出願の相互参照）
本出願は、２０１４年１０月３１日に出願されて参照により援用される米国仮出願第６２／０７３，５８９号の優先権を主張する。
【０００２】
本開示は、自動車の中など、車両内部環境の温度制御に関する。詳しく記すと、本開示は、車両ミクロ気候システムと、乗員の個人快適性を高めるためこのシステムを制御する方法とに関する。
【背景技術】
【０００３】
暖房・換気・冷房（ＨＶＡＣ）システムは、車内の温度を制御して乗員快適性を高めるのに自動車業界で広く使用されている。暖房および冷房シートや暖房ステアリングホイールなど、付加的および補助的な熱調節装置がますます車両に取り入れられている。これらの補助的熱調節装置は、乗員快適性をさらに向上させることを意図したものである。
【発明の概要】
【発明が解決しようとする課題】
【０００４】
ＨＶＡＣシステムと補助的熱調節装置の動作には調和が見られない。車内の各装置は一般的に、スイッチやダイヤルを操作することなどによる乗員からの入力に基づいて単独で制御される。加えて、異なる乗員の間で大きく変化しうる、「乗員個人快適性」と呼ばれる熱的快適性についての個人的認知に対処する熱調節システムは存在していない。また、熱的快適性が最終的に達成されたことを乗員が確信したため乗員が調整入力を停止した時でも、車両への熱負荷の変化により乗員の熱的快適性を乱して乗員からの入力をさらに必要とすることがある。
【課題を解決するための手段】
【０００５】
一つの例示的実施形態において、車両ミクロ気候システムは、乗員にマクロ気候環境を提供する内部空間に配置されるように構成されているミクロ気候装置を含む。ミクロ気候装置は、乗員にミクロ気候環境を提供するように構成されている。ミクロ気候装置は、マクロ気候環境に露出される他の乗員部位と比較して高い温度受容性反応を有する乗員の部位に近接するように構成されている。制御装置はミクロ気候装置との通信状態にある。制御装置は、乗員個人快適性を判断し、乗員個人快適性に応じて自動的にミクロ気候装置に命令して所望の乗員個人快適性を達成するように構成されている。
【０００６】
上記のいずれかについてのさらなる実施形態において、ＨＶＡＣ熱調節システムはマクロ気候環境を提供するように構成されている。
【０００７】
上記のいずれかについてのさらなる実施形態において、車両ミクロ気候システムは、内燃エンジンと電気モータシステムと燃料電池のうち少なくとも一つを有する。ＨＶＡＣ熱調節システムは、内燃エンジンと電気モータシステムと燃料電池のうち少なくとも一つにより駆動される。
【０００８】
上記のいずれかについてのさらなる実施形態では、多数のミクロ気候装置を有する補助的熱調節システムが設けられる。多数のミクロ気候装置は、ステアリングホイールとシートとドアパネルとアームレストとウィンドウデフォッガとダッシュパネルとルーフパネルのうち少なくとも一つにより設けられる。
【０００９】
上記のいずれかについてのさらなる実施形態において、乗員の部位は、手と足と首と顔と脚と腕と頭と胴体のうち少なくとも一つを含む。
【００１０】
上記のいずれかについてのさらなる実施形態において、制御装置は、乗員に対応するユーザプロファイルを提供する乗員特性を有するメモリを含む。制御装置は、乗員個人快適性の判断にユーザプロファイルを使用するように構成されている。
【００１１】
上記のいずれかについてのさらなる実施形態において、乗員特性は、性別と身長と体重と乗員提供の快適性データのうち少なくとも一つを含む。
【００１２】
上記のいずれかについてのさらなる実施形態において、メモリは、ミクロ気候プロファイルを備える少なくとも一つのルックアップテーブルを含み、制御装置は、少なくとも一つのユーザ入力に基づいてミクロ気候プロファイルを修正するように構成されている。
【００１３】
上記のいずれかについてのさらなる実施形態において、乗員快適性センサは制御装置との通信状態にある。乗員快適性センサは、乗員特性を検出するように構成されている。制御装置は、検出された乗員特性を乗員個人快適性の判断に使用するように構成されている。
【００１４】
上記のいずれかについてのさらなる実施形態において、乗員特性は、乗員深部温度と乗員皮膚温度と乗員皮膚水分量とマクロ気候湿度とマクロ気候温度のうち少なくとも一つを含む。
【００１５】
上記のいずれかについてのさらなる実施形態では、ユーザプロファイルと、ユーザプロファイルに関連するミクロ気候プロファイルとに応じてミクロ気候装置への命令を調整するように制御装置が構成されている。
【００１６】
上記のいずれかについてのさらなる実施形態では、内部空間の外側の車両外部環境を評価し、マクロ気候環境を評価し、ミクロ気候環境を評価して乗員個人快適性を判断するように制御装置が構成されている。
【００１７】
上記のいずれかについてのさらなる実施形態では、ユーザプロファイルとミクロ気候プロファイルとに応じてマクロ気候装置に命令するように制御装置が構成されている。
【００１８】
上記のいずれかについてのさらなる実施形態において、車両外部環境は、車両位置と時刻と気候の条件のうち少なくとも一つを含む外側パラメータに対応する。
【００１９】
上記のいずれかについてのさらなる実施形態において、制御装置は、傾眠パラメータに基づいて乗員傾眠を検出するように構成されている傾眠モジュールを含む。ミクロ気候装置は傾眠パラメータに応じて命令される。
【００２０】
上記のいずれかについてのさらなる実施形態において、制御装置は、太陽負荷パラメータに基づいて車両への太陽負荷を検出するように構成されている太陽負荷モジュールを含む。ミクロ気候装置は太陽負荷パラメータに応じて命令される。
【００２１】
上記のいずれかについてのさらなる実施形態において、制御装置は、表面温度感受性パラメータに基づいて乗員表面温度感受性を検出するように構成されている表面温度感受性モジュールを含む。ミクロ気候装置は表面温度感受性パラメータに応じて命令される。
【００２２】
上記のいずれかについてのさらなる実施形態において、制御装置は、幼児用シートパラメータに基づいて乗員幼児用シートを検出するように構成されている幼児用シートモジュールを含み、ミクロ気候装置は幼児用シートパラメータに応じて命令される。
【００２３】
上記のいずれかについてのさらなる実施形態において、制御装置は、遠隔始動入力パラメータに基づいて遠隔始動入力を検出するように構成されている遠隔始動モジュールを含む。ミクロ気候装置は、遠隔始動入力パラメータに応じて命令される。
【００２４】
上記のいずれかについてのさらなる実施形態において、制御装置は、気候調節推移パラメータに基づいて所望の気候調節推移を検出するように構成されている気候調節推移モジュールを含む。ミクロ気候装置は、気候調節推移パラメータに応じて命令される。
【００２５】
別の例示的実施形態において、車両ミクロ気候システムは、乗員にマクロ気候環境を提供する内部空間に配置されるように構成されているミクロ気候装置を含む。ミクロ気候装置は、乗員にミクロ気候環境を提供するように構成されている。制御装置はミクロ気候装置との通信状態にある。制御装置は、太陽負荷と乗員個人快適性とを判断するように構成されている。制御装置は、太陽負荷と乗員個人快適性とに応じて自動的にミクロ気候装置に命令して所望の乗員個人快適性を達成するように構成されている。
【００２６】
上記のいずれかについてのさらなる実施形態において、ＨＶＡＣ熱調節システムは、マクロ気候環境を提供するように構成されている。
【００２７】
上記のいずれかのさらなる実施形態では、多数のミクロ気候装置を有する補助的熱調節システムが設けられる。多数のミクロ気候装置は、ステアリングホイールとシートとドアパネルとアームレストとウィンドウデフォッガとダッシュパネルとルーフパネルのうち少なくとも一つにより設けられる。
【００２８】
上記のいずれかについてのさらなる実施形態において、制御装置は、乗員に対応するユーザプロファイルを提供する乗員特性を有するメモリを含む。制御装置は、乗員個人快適性の判断にユーザプロファイルを使用するように構成されている。
【００２９】
上記のいずれかについてのさらなる実施形態において、乗員特性は、性別と身長と体重と乗員提供の快適性データのうち少なくとも一つを含む。
【００３０】
上記のいずれかについてのさらなる実施形態において、メモリは、ミクロ気候プロファイルを備える少なくとも一つのルックアップテーブルを含み、少なくとも一つのユーザ入力に基づいてミクロ気候プロファイルを修正するように制御装置が構成されている。
【００３１】
上記のいずれかについてのさらなる実施形態において、乗員快適性センサは制御装置との通信状態にある。乗員快適性センサは乗員特性を検出するように構成されている。制御装置は、検出された乗員特性を乗員個人快適性の判断に使用するように構成されている。
【００３２】
上記のいずれかについてのさらなる実施形態において、乗員特性は、乗員深部温度と乗員皮膚温度と乗員皮膚水分量とマクロ気候湿度とマクロ気候温度のうち少なくとも一つを含む。
【００３３】
上記のいずれかについてのさらなる実施形態では、ユーザプロファイルと、ユーザプロファイルに関連するミクロ気候プロファイルとに応じてミクロ気候装置への命令を調整するように制御装置が構成されている。
【００３４】
上記のいずれかについてのさらなる実施形態では、内部空間の外側の車両外部環境を評価し、マクロ気候環境を評価し、ミクロ気候環境を評価して乗員個人快適性を判断するように制御装置が構成されている。
【００３５】
上記のいずれかのさらなる実施形態において、車両外部環境は、車両位置と時刻と気候条件のうち少なくとも一つを含む外側パラメータに対応する。
【００３６】
上記のいずれかについてのさらなる実施形態では、車両位置と、車両走行方向と、検出された光度および太陽位置のうち少なくとも一つに基づいて太陽負荷を判断するように制御装置が構成されている。
【００３７】
別の例示的実施形態において、車両ミクロ気候システムは、乗員にマクロ気候環境を提供する内部空間に配置されるように構成されているミクロ気候装置を含む。ミクロ気候装置は、乗員にミクロ気候環境を提供するように構成されている。制御装置はミクロ気候装置との通信状態にある。気候調節推移パラメータに基づいて所望の気候調節推移を検出して、乗員個人快適性を判断するように制御装置が構成されている。ミクロ気候装置は、気候調節推移パラメータと乗員個人快適性とに応じて命令されて所望の乗員個人快適性を達成する。
【００３８】
上記のいずれかについてのさらなる実施形態において、気候調節推移は、暖房と冷房と中間のモードを含む。暖房モードは、多くの熱が乗員に所望されている条件に対応する。冷房モードは、多くの冷房が乗員に所望されている別の条件に対応する。中間モードは、現在熱環境が乗員にとって快適であるまた別の条件に対応する。制御装置は、中間モードにおいてミクロ気候装置とマクロ気候装置の少なくとも一方に自動的に命令して所望の乗員個人快適性を達成するように構成されている。
【００３９】
上記のいずれかについてのさらなる実施形態において、ＨＶＡＣ熱調節システムは、マクロ気候環境を提供するように構成されている。
【００４０】
上記のいずれかについてのさらなる実施形態において、補助的熱調節システムは多数のミクロ気候装置を有する。多数のミクロ気候装置は、ステアリングホイールとシートとドアパネルとアームレストとウィンドウデフォッガとダッシュパネルとルーフパネルのうち少なくとも一つにより設けられる。
【００４１】
上記のいずれかについてのさらなる実施形態において、制御装置は、乗員に対応するユーザプロファイルを提供する乗員特性を有するメモリを含む。制御装置は、乗員個人快適性の判断にユーザプロファイルを使用するように構成されている。
【００４２】
上記のいずれかについてのさらなる実施形態において、乗員特性は、性別と身長と体重と乗員提供の快適性データのうち少なくとも一つを含む。
【００４３】
上記のいずれかについてのさらなる実施形態において、メモリは、ミクロ気候プロファイルを備える少なくとも一つのルックアップテーブルを含む。少なくとも一つのユーザ入力に基づいてミクロ気候プロファイルを修正するように制御装置が構成されている。
【００４４】
上記のいずれかについてのさらなる実施形態において、乗員快適性センサは制御装置との通信状態にある。乗員快適性センサは、乗員特性を検出するように構成されている。検出された乗員特性を乗員個人快適性の判断に使用するように制御装置が構成されている。
【００４５】
上記のいずれかについてのさらなる実施形態において、乗員特性は、乗員深部温度と乗員皮膚温度と乗員皮膚水分量とマクロ気候湿度とマクロ気候温度のうち少なくとも一つを含む。
【００４６】
上記のいずれかについてのさらなる実施形態において、制御装置は、内部空間の外側の車両外部環境を評価し、マクロ気候環境を評価し、ミクロ気候環境を評価して乗員個人快適性を判断するように構成されている。
【００４７】
上記のいずれかについてのさらなる実施形態において、車両外部環境は、車両位置と時刻と天候条件のうち少なくとも一つを含む外側パラメータに対応する。
【００４８】
添付図面に関して検討される際には以下の詳細な説明を参照することにより開示がさらに理解されうる。
【図面の簡単な説明】
【００４９】
【図１】ミクロ気候システムを有する車両の概略図である。
【図２】ミクロ気候システムの制御装置と、図１の車両についてこの制御装置に提供される入力例との概略図である。
【図３】図１の車両についてマクロ気候装置およびミクロ気候装置との通信状態にある制御装置の概略図である。
【図４】制御装置により実施されるミクロ気候システム制御方法を表すフローチャート例である。
【図５】制御装置と車両気候制御モジュール例との概略図である。
【図６】車両の熱エネルギー環境の概略図である。
【図７】図６の熱エネルギー環境について様々な暖房および／または冷房装置のための熱エネルギー入力を表すグラフである。
【発明を実施するための形態】
【００５０】
様々な態様やそれぞれの個別特徴を含む前出段落、請求項、または以下の説明および図面の実施形態と例と代替案とは、単独で、または組み合わせにより解釈されうる。一つの実施形態に関して記載される特徴は、このような特徴が適合しない場合を除いて、すべての実施形態に適用可能である。
【００５１】
自動車などの車両１０が、図１に概略的に示されている。車両１０は、一人以上の乗員１６のための車室または内部空間１２を含み、この空間は、乗員が熱的快適性を体感する車両内部環境を提供する。車両１０は、内部空間１２の熱的快適性にも影響して熱エネルギー不均衡を車両の内部空間に導入しうる車両外部環境１４に配置されている。
【００５２】
各乗員は一般的に、独自の乗員個人快適性を有している。すなわち、特定の乗員は別の乗員と異なるように熱エネルギーレベルを検出するのである。その結果、車両内の全く同じ熱的環境がある乗員には快適、別の乗員には不快と認識される。このため、本開示は、マクロ気候装置（中央ＨＶＡＣシステムなど）と、ミクロ気候（気候制御シート（米国特許第５，５２４，４３９号および第６，８５７，６９７号など）、ヘッドレスト／首調節部（米国仮特許出願第６２／０３９，１２５号など）、気候制御ヘッドライナ（米国仮特許出願第６１／９００３３４号など）、ステアリングホイール（米国特許第６，７２７，４５７号および米国特許公報第２０１４／００９０５１３号など）、暖房ギヤシフタ（米国特許公報第２０１３／００６１６０３号など）の両方を制御して調和させて個別ミクロ気候システムを達成することにより、人の熱管理に対する統合的アプローチを提供することに関している。ミクロ気候システムは、乗員からの入力がわずかであるか全くない、より自動化された状態で所望の乗員個人快適性を提供する。ミクロ気候装置のみで（つまりマクロ気候装置なしで）マクロ気候とマクロ気候の中の個別ミクロ気候の両方を提供できることが理解されるべきである。引用した特許、公報、および出願は、参照によりその全体が援用される。
【００５３】
一つの例において、車両１０は、制御装置２２との通信状態にあるＨＶＡＣ熱調節システム１８と（ミクロ気候装置を備える）補助的熱調節システム２０とを含む。様々な入力２４は制御装置２２と通信を行って、ＨＶＡＣ熱調節システム１８および／または補助的熱調節システム２０の動作に影響してこれを制御する。
【００５４】
一例としてのミクロ気候システムにおいて、制御装置２２は、例えば図２に示されている車両外部環境２６からミクロ気候システム内のセンサおよび／または装置を介して様々な入力を受信する。車両外部環境２６は、車両位置、車両方向および高度、時刻および日付などのパラメータと、天候関連のパラメータ（屋外温度、屋外湿度、車両への太陽負荷）とを含みうる。
【００５５】
マクロ気候環境２８も、制御装置２２へパラメータを通信する。マクロ気候環境パラメータは、一つ以上の位置での内部温度および／または湿度と、現在ＨＶＡＣシステム設定とを含みうる。
【００５６】
ミクロ気候環境３０は、制御装置２２へパラメータを通信する。ミクロ気候環境パラメータは、一つ以上のミクロ気候装置の温度および／または湿度と、補助的調節システム設定と、乗員快適性フィードバックとを含みうる。スイッチのポジションを変えることなどにより乗員が入力を提供してミクロ気候装置の一つを制御する時に、乗員快適性フィードバックが提供される。
【００５７】
乗員情報３２は、様々な乗員の間での熱受容性の差をカスタマイズしてこれに対処するため制御装置２２に提供される。例えば、男性と女性は概して高温と低温に対して異なるように反応し、女性は低温に対して敏感かつ迅速に反応し、男性は高温に対して迅速に反応することが分かっている。加えて、乗員情報３２は、熱質量と熱容量と内部エネルギー生産率とを判断するための情報を提供できる。乗員情報３２は、性別、身長、体重、ユーザプロファイルを提供する他の乗員提供データなどの情報を含む。そして、例えば、何らかのデータの収集に先立って、顧客車両購入プロセス中に初期デフォルトデータセットやミクロ気候プロファイルが規定されうる。それからデフォルトミクロ気候プロファイルに基づいて、システムは、データを直感的に収集してから、ユーザによる実際の入力と経時使用に基づいて個人の必要／希望に合わせて調整するプロセスを開始できる。この初期のミクロ気候プロファイルは、最初の購入場所、ドライバ特性（性別、身長、体重など）のような量的要因とともに、熱的快適性／ストレスの正常状態についての質問に回答者が答えるアンケート調査のような質的要因とを含む幾つかの要因に基づくものである。この情報は、制御装置２２へ通信を行うキーフォブまたはモバイル装置に記憶される。ユーザプロファイルと学習によるミクロ気候プロファイルとは、例えば車両データリンク、クラウド、ワイヤレス送信および／またはスマートフォンを介して、乗員とともに「移動」できる。
【００５８】
検知された乗員情報は、例えば乗員温度を検出することによっても提供されうる（図３のセンサ７９など参照）。検知されたこれらの乗員個人快適性入力は、認知された乗員個人快適性を判断するため制御装置２２へ提供される。入力は、身体深部温度のような皮膚や他の身体温度など、測定による一つ以上の生理学的パラメータを含みうる。
【００５９】
車両外部環境２６とマクロ気候環境２８とミクロ気候環境３０と乗員情報３２からの多数のパラメータは、一つ以上のルックアップテーブル３４などのメモリに記憶されうる。メモリは、特定のユーザに対応する様々な使用シナリオについての一つ以上のユーザプロファイル３１とミクロ気候プロファイル３３に関する情報を記憶しうる。乗員個人快適性が予測されてミクロ気候システムが自動的に調整されるように、制御装置２２は、乗員により行われるミクロ気候システムの調整から学習して、ルックアップテーブル３４のミクロ気候プロファイル３３を更新しうる。既存の設定点の間の設定を判断するのに、ルックアップテーブル値の補間または別の適当な方法が使用されうる。
【００６０】
図３を参照すると、ＨＶＡＣ熱調節システム１８の例が制御装置２２との通信状態にある。ＨＶＡＣ熱調節システム１８は、エンジン４２に接続された暖房ループとの流通状態にある熱交換器３６を含む。エンジン４２は、内燃エンジン、電気モータシステム、および／または燃料電池を含みうる。エンジン４２は、ＨＶＡＣ熱調節システム１８に熱源を提供する。冷房ループには蒸発器４０が配置され、これは車両に一般的に見られる冷媒と従来の空調コンポーネントとを含みうる。所望であれば、代わりに従来のＨＶＡＣシステムが一つ以上の電気式マイクロコンプレッサにより設けられてもよいことが理解されるべきである。ＨＶＡＣシステムに外気を提供する換気システム３８も設けられうる。ＨＶＡＣ熱調節システム１８は一般的に、多数のベント４６が設けられたダクト類４４を含む。一つ以上のバルブ４８は、ＨＶＡＣシステムからベント４６への気流を選択的に制御する。これらのＨＶＡＣシステムコンポーネントは、マクロ気候環境を提供する。
【００６１】
補助的熱調節システム２０は、ウィンドウデフロスタ／デフォッガ５０、ルーフパネル５２、計器盤５４の一つ以上のパネル５８（ベント５６を含みうる）、ドアパネル６０、ドアアームレスト６２、センターコンソールアームレスト６３、熱要素６６とベント６８を有する首調節装置６７とを有するシート６４、および／またはステアリングホイール７０など、多数のミクロ気候装置を含む。これらのミクロ気候装置は、乗員に近接して暖房および／または冷房を提供することで周囲の内部環境の中に一層個別化されたミクロ気候環境を設けることにより、ＨＶＡＣシステムが可能にするもの以上に乗員快適性を高めることを意図している。例えば一つ以上の暖房要素、ファン、熱電装置、ヒートポンプ、および／またはマイクロコンプレッサにより、暖房と冷房が提供されうる。
【００６２】
入力２４は、制御装置２２を通してマクロ気候環境とミクロ気候環境とを調整して所望の乗員個人快適性を達成するのに使用される。入力２４は、センサ信号と、車両外部環境２６とマクロ気候環境２８とミクロ気候環境３０の様々なパラメータを表す他の入力とを含む。入力２４はさらに、一つ以上のスイッチ７２、乗員情報を格納するキーフォブ７４、乗員情報を格納するモバイル装置７６、および／またはディスプレイ７８を含む。ディスプレイ７８は、ＨＶＡＣ熱調節システム１８および／または補助的熱調節システム２０の出力または動作モードを視覚的に表示しうる。ディスプレイ７８は、例えばタッチスクリーンを介した入力手段も提供しうる。センサ７９は、温度、水分量、湿度、または他の情報など、検知されたリアルタイムの乗員情報を提供しうる。
【００６３】
概して、車両ミクロ気候システムは、車両の内部空間に配置されるように構成されている少なくとも一つのミクロ気候装置を含む。内部空間１２は、乗員１６にミクロ気候環境を提供する。ミクロ気候装置は、ユーザプロファイル３１とミクロ気候プロファイル３３に従って乗員１６にミクロ気候環境を提供するように構成されている。一つの動作モード例において、ミクロ気候装置は、マクロ気候環境に露出される他の乗員部位と比較して高い個人的反応を有する乗員の部位に近接するように構成されている。これらの乗員部位は、手と足と首と顔と脚と腕と頭と胴体のうち少なくとも一つを含みうる。
【００６４】
制御装置２２は、ミクロ気候装置との通信状態にある。制御装置は、例えば乗員情報３２に基づいて乗員個人快適性を判断するように構成されている。制御装置２２は、乗員個人快適性に応じてミクロ気候装置に命令して、ＨＶＡＣシステムが提供できるものより高い乗員快適性を提供することにより、乗員のすぐ周囲の環境を微調整する。例えば、太陽が乗員の顔に長時間にわたって強く照り付けて乗員の背中に発汗を生じさせるなど、熱エネルギー入力はマクロ気候環境を不均衡にすることがある。この望ましくない状態を予測して、制御装置２２はシートの冷房を命令し、熱要素６６および／または首調節装置で乗員の背中、首、および／または腕を除湿する。背中の冷房は、背中エリアの発汗と、このような発汗が引き起こす関連の不快感を抑制および／または軽減できる。片腕または両腕を冷房すると、皮膚温度を低下させて、最も露出されているエリアへの太陽負荷の作用を中和する。上記の状態で、補助的熱調節システム２０は、不快感の付加的原因となりうる発汗を抑制および／または軽減することにより快適な状態を維持できる。
【００６５】
ＨＶＡＣシステムは主として車室環境の平衡点を変更するのに使用されるのに対して、補助的熱快適性システム２０は乗員による快適性の認知を管理する。対象が明確な局所的装置により乗員の熱快適性が直接的に操作されるので、こうしてＨＶＡＣシステムの縮小を可能にする。さらに、動作中に制御設定を変更するのに乗員が介入する必要性を限定するように、二つのシステムの作用が調和されうる。例えば、暑い車に乗り込む時には、ほとんど常にフルパワーで空調が始動し、所望の状態に達すると低い値で安定する。これはドライバ入力なしで容易に管理されうる。
【００６６】
ミクロ気候システムとその制御装置とは、一つ以上の方法を使用して設計されうる。例えば、車両に設けられても設けられなくてもよいコンピューティングプラットフォームで特定のモデルが具現される「開ループ」方法が使用されうる。そしてこのモデルは、乗員熱的快適性がどのように操作されるべきかを判断するのに利用される。モデルは、オフラインでの試験と検証からのデータを使用して事前設定され、その際にはセンサ入力（湿度、外部温度など）に基づいて適切な制御効果が生み出される。
【００６７】
システム（安全システムの一部である赤外線カメラとともに湿度センサを備えるものなど）がドライバなどの乗員の条件を確認し、この情報に基づいて熱的条件を調整する「閉ループ」方法が使用されうる。例えば、画像処理技術であれば、赤外線（ＩＲ）撮像に基づいて、ドライバが帽子を着用していること、またはドライバが運動のため高体温になっていることを判断できるだろう。
【００６８】
ミクロ気候プロファイル３３を調整するため特定の乗員か乗員集合により行われる選択に基づいて閉ループまたは開ループ方法が経時的に修正される「学習」方法が使用されうる。例えば、車両は、外側温度と内側温度と湿度とをルックアップテーブル３４に記録して、これらの条件でドライバにより選択された熱制御設定を記憶し、次に類似の条件に遭遇した時にはこれらが複製（補間）される。ドライバが車両を長く使用するほど、入手可能な情報は多くなり、より「カスタマイズ」されるほど、ミクロ気候システムのためのミクロ気候プロファイルはその特定の個人に合ったものになるだろう。さらに、特定の条件集合が与えられる何らかのパラメータ集合の適合性についての優れた基準はおそらく、どれほど長くシステムが特定の状態に置かれているか、つまり乗員が熱的設定を調整していないかというものであろう。
【００６９】
図４は、ミクロ気候システムの制御方法の例を示している。動作時に、制御装置２２は、ブロック８２に記されているように乗員情報３２（図２）などの乗員特性を識別して、ユーザプロファイル３１を提供する方法８０を含む。これは何らかのレベルの乗員検出と個人識別とを含み、様々な車両システムを利用しうる。例えば、多くの車両は、ドライバを識別する「プリセット」を有する。さらに、乗員の存在を検出して別のレベルの情報を追加する重量センサが、乗員の識別に使用される。（安全／エアバッグ展開などの一部としての）内部視覚システムは、特定の乗員の識別を大いに向上させる。ブルートゥース接続されたスマートフォンも、この作業を大いに簡単にする。音声認識または指紋識別が使用されてもよい。特定の装置の存在は、ドライバ（場合によっては乗員）の識別を高い確実度で提供するだろう。そして乗員のユーザプロファイル３１と関連の「熱的プロファイル」のデータを作成して、開示される熱的管理方式を具現するのに使用されるミクロ気候プロファイル３３を生成するのに、この情報が使用されうる。この情報はそれからスマートフォンまたは車両に記憶されて、ある車両から別の車両へのこの情報の移動を可能にする。
【００７０】
それから制御装置２２は、ブロック８４に記されているように、乗員個人快適性を判断する。乗員個人快適性は、車両外部環境の評価（図２のブロック８６；２６）、マクロ気候環境の評価（図２のブロック８８；２８）、および／またはミクロ気候環境の評価（図２のブロック９０；３０）に基づいて判断されうる。乗員個人快適性入力は、例えば、赤外線カメラ（図３のセンサ７９など）を使用して乗員の体温や他の条件を検出することにより評価される（図２のブロック９４；３２）。
【００７１】
乗員個人快適性が判断されると、ミクロ気候装置は、ブロック９２に記されているように、ミクロ気候プロファイル３３に従って命令されて、所望の乗員個人快適性を達成する。加えて、ブロック９６に記されているように、マクロ気候装置は、所望の乗員個人快適性をさらに、より迅速に達成するように命令される。ブロック９８に記されているように、ミクロ気候プロファイル３３を調整することにより乗員個人快適性が再評価される。このフィードバックは、乗員がまだ快適ではないことを示すスイッチや他の入力装置を介した付加的入力を提供する乗員により、または乗員の快適性を能動的に検知することにより、提供されうる。
【００７２】
制御装置２２は、所与の条件集合について乗員により一般的に使用される設定から学習する。制御装置２２はまた、乗員のユーザプロファイル３１と関連する乗員のミクロ気候プロファイル３３に従ってミクロ気候システムが作動している時には、自動制御期間中の設定に対する調整から学習する。シートヒータが例えばプリセット時間量だけ「高」に変えられてから、乗員がより快適になってＨＶＡＣシステムがマクロ気候環境を充分に調整すると、再び低下する。さらに複雑な例について、シート首保温部が起動され、ステアリングホイールの調節と調和させながら手への血流を拡張して、ドライバの側での最大の熱的快適性認知を達成する。動作中に熱的管理システムを調整しなかったことに基づいて特定の乗員が何を好むかを車両が学習すると、次に発生した時に同じ条件が複製される。
【００７３】
加えて、乗員が快適になるように、シート表面などのミクロ気候装置が暖房または冷房されうる。一例において、特に高温の車両内部では、車室に冷気流を単純に提供するだけでは充分ではない。シート、特にビニールやレーザのシートは高温であるか触感が不快であって、冷房された車室に入る時でも最初は乗員の背中に発汗を生じる。条件に応じてシートを急速に暖房または冷房すると、乗員の熱的快適性を高める。
【００７４】
制御のために存在する自由度が高くなるほど、ミクロ気候システムは乗員に順応するようになる。戦略的位置への湿度センサの追加、または皮膚温度を検知する低出力ＩＲセンサの使用（またはその組み合わせ）は、熱的快適性の認知を直接的に操作するのに使用されうる。さらに、ＨＶＡＣシステムとの調和により、車両ミクロ気候システムは、動的な状態または環境（フルパワーのシート熱的要素、フルパワーのＨＶＡＣシステム）から所望の静的／恒常状態または環境へのスムーズな推移をミクロ気候システムに達成させる先行予測型コンポーネントを具備する。この推移は、内部空間１２での温度推移と乗員熱的快適性推移とを同時に管理できる。
【００７５】
開示されるミクロ気候システムは、多くの独自の熱的快適性状況が車両でより効果的に対処されることを可能にする。図５には幾つかの例が図示されている。方法８０は、乗員情報モジュール１００と車両環境モジュール１０２とが制御装置２２と通信して、車両での乗員の特定位置におけるミクロ気候システムの設定に使用するための乗員固有のミクロ気候プロファイルを作成するシステムを含む。
【００７６】
気候調節推移モジュール１０４は、ＨＶＡＣ熱調節システム１８と補助的熱調節システム２０との動作を調和させるアルゴリズムを含む（その例は、図６および７に図示され、以下で詳述される）。気候調節推移モジュール１０４は、暖房と冷房と中間のモードを有する入力を含みうる。暖房モードでは、さらに暖房が所望であることを乗員が指示し、冷房モードではさらに冷房が所望であることを乗員が指示する。暖房および冷房モードで、補助的熱調節システム２０は動的状態で作動して、所望の静的／平衡状態に向けて、またはこの状態へ、動作を推移させる。暖房および冷房モードは、ミクロ気候システムにより提供される自動制御を上書きする。中間モードでは、現在熱的環境が乗員にとって快適であることを乗員が指示している。このモードで、気候調節推移モジュール１０４はＨＶＡＣ熱調節システム１８および／または補助的熱調節システム２０を自動的に調節して、この快適な熱的状態を特定の乗員のために維持する。制御装置２２は、中間モードでの動作中の乗員による調整に基づいて、メモリ内の乗員のミクロ気候プロファイルを調整できる。
【００７７】
電力管理モジュール１０６は、ＨＶＡＣ熱調節システム１８と補助的熱調節システム２０とにより使用される電力を、例えばできる限り最小にする。電力管理制御特徴は、ＨＶＡＣシステム動作を同時に調整または抑制しながらある補助的熱調節システム装置への電力を調整または増加することにより、エンジンへのコンプレッサおよび／またはオルタネータ負荷を軽減する。
【００７８】
ドライバ傾眠モジュール１０８は、ドライバが傾眠状態である時を検出して、例えば、ステアリングホイールを急激に冷房するか乗員の足や顔に冷気を吹き付けることによりドライバへの警告を維持するように、ＨＶＡＣシステムおよび／またはミクロ気候装置に命令する。
【００７９】
幼児用シートモジュール１１０は、幼児用シートのエリアでＨＶＡＣ熱調節システム１８と補助的熱調節システム２０とを制御し、これはシートベルトセンサ、乗員体重センサ、または他の入力装置により検出される。
【００８０】
表面温度感受性モジュール１１２は、対麻痺など、特定の温度感受性を有する患者のために、ミクロ気候装置、例えばシートを制御する。こうして、乗員に特定の必要性および希望に基づいて表面温度が制御されることを保証する。乗員識別基準としてブルートゥースを使用すると、対麻痺である乗員の識別を容易にし、こうしてミクロ気候システムは所望であればシートヒータオプションを無効にできる。これは対麻痺者の側での何らかの形の自己識別を必要とするだろう。
【００８１】
遠隔始動モジュール１１４は、遠隔始動条件でミクロ気候装置を制御しうる。遠隔始動を起動させるキーフォブを識別することにより、ミクロ気候システムは、車室内の温度および湿度や車室の外側の温度および湿度とともに、乗員識別およびプロファイル、時刻、最終キーサイクルの終了時でのミクロ気候システム設定を含む個別ドライバの履歴に基づいて、車両を事前調節できるだろう。遠隔始動モジュール１１４は、ＨＶＡＣシステム動作と周囲の内部環境とに基づいてミクロ気候を調整して所望の快適性に収束させ、所望のミクロ気候を乗員に「過剰提供」することを回避する。
【００８２】
太陽負荷モジュール１１６は、車内の乗員に対する、時には重大な太陽の快適性影響に対処する。ある状況では、車室内の温度および湿度が安定したままであって以前は乗員にとって快適であったとしても、乗員に照り付ける強い太陽が乗員に発汗を生じることがある。太陽負荷モジュール１１６はこの状況に対処するものであって、これは後述するように図６および７の例に関して充分に図示されている。
【００８３】
車両１０とその内部空間１２が、図６に概略的に図示されている。車両１０は、車両外部環境１４に配置されている。例示を目的として、車両１０は、ベント５６を有する計器盤５４と、シート６４と、ステアリングホイール７０とを含む。言うまでもないが、追加の、または異なる装置が設けられてもよい。ミクロ気候環境は、以下の方程式により例示されうる。
ＴＥｏｃｃ＝Σｑｒ＋Σｑｃｖ＋Σｑｃｄ                                方程式１
ＴＥｏｃｃ＝ｑｒ１＋ｑｒ２＋ｑｃｖ１＋ｑｃｖ２＋ｑｃｄ１＋ｑｃｄ２    方程式２
ＴＥｏｃｃ＝１．２ｑｒ１＋０．８ｑｒ２＋１．８ｑｃｖ１
＋１．１ｑｃｖ２＋２．０ｑｃｄ１＋１．６ｑｃｄ２        方程式３
【００８４】
方程式１を参照すると、ＴＥｏｃｃは乗員が受ける熱エネルギーであり、ｑｒは熱放射源に対応し、ｑｃｖは熱対流源に対応し、ｑｃｄは熱伝導源に対応する。方程式２には、例示的な目的で多数の熱入力が設けられている。これより多いか少ない熱入力がミクロ気候制御システムにより使用されうる。方程式３に挙げられて図６に示されている一例において、ｑｒ１は太陽放射源であり、ｑｒ２は計器盤など車内のコンポーネントからの熱負荷であり、ｑｃｖ１は第１ベントからの気流であり、ｑｃｖ２は第２ベントからの気流であり、ｑｃｄ１はシートバックからの冷房であり、ｑｃｄ２はステアリングホイールからの冷房である。
【００８５】
動作時に、制御装置２２は、例えば車両位置、車両走行方向、検出された光度および太陽位置に基づいて車両内部空間１２に対する太陽負荷を判断して、乗員個人快適性への影響を判断する。一例において、制御装置２２は、太陽負荷により影響されるミクロ気候の容積（ミクロ気候影響容積）を判断し、ミクロ気候影響容積内の少なくとも一つの装置を調整することにより太陽負荷（方程式３では係数として表現）を補正し、その例は図７に図示されている。
【００８６】
車両動作中に、太陽負荷ｑｒ１が増加して、乗員個人快適性を乱すことがある。これに応じて、制御装置２２は自動的に、ベント５６を通して冷気流ｑｃｖ１を乗員１６へ誘導するようにＨＶＡＣシステムに命令する。制御装置２２は自動的に、乗員１６の背中を冷却するｑｃｄ１ようにシート６４に命令する。乗員１６への気流の誘導がこの特定の乗員により煩わしいものと認知されたと制御装置２２が学習したため、ベント５６からの気流はシート６４からの冷房より急速に縮小する。
【００８７】
本出願で開示される様々な機能性を具現するのに制御装置２２が使用されうることに注意すべきである。制御装置２２は一つ以上の個別ユニットを含む。また、制御装置２２の一部分は車両１０に設けられるのに対して、制御装置２２の別の部分は他のところに設置されうる。ハードウェアアーキテクチャに関して、このようなコンピューティング装置は、ローカルインタフェースを介して通信結合されるプロセッサ、メモリ、一つ以上の入力および／または出力（Ｉ／Ｏ）装置インタフェースを含みうる。ローカルインタフェースは、例えば一つ以上のバス、および／または他の有線か無線の接続を限定的にではなく含みうる。ローカルインタフェースは、通信を可能にする制御装置、バッファ（キャッシュ）、ドライバ、リピータ、およびレシーバなど、簡潔性のため省略される付加的要素を有しうる。さらに、ローカルインタフェースは、上述のコンポーネントの間での適切な通信を可能にするアドレス、制御、および／またはデータ接続を含みうる。
【００８８】
制御装置２２は、ソフトウェア、特にメモリに記憶されたソフトウェアを実行するためのハードウェア装置でありうる。制御装置２２は、注文品または市販品のプロセッサ、中央処理ユニット（ＣＰＵ）、制御装置と関連する幾つかのプロセッサのうちの補助的プロセッサ、半導体ベースのマイクロプロセッサ（マイクロチップかチップセットの形）、またはソフトウェア命令を実行するためのほぼいかなる装置でもよい。
【００８９】
メモリは、揮発性メモリ要素（ランダムアクセスメモリ（ＤＲＡＭ、ＳＲＡＭ、ＳＤＲＡＭ、ＶＲＡＭなどのＲＡＭ）、および／または不揮発性メモリ要素（ＲＯＭ、ハードドライブ、テープ、ＣＤ−ＲＯＭなど）のいずれか一つかその組み合わせを含みうる。また、メモリは、電子、磁気、光学、および／または他のタイプの記憶媒体を内含しうる。メモリは分散アーキテクチャを有してもよく、様々なコンポーネントが互いに遠隔位置にあるが、プロセッサによりアクセスされうる。
【００９０】
メモリのソフトウェアは一つ以上の独立プログラムを含み、その各々が、論理機能を具現するための実行可能命令についての整列リストを含む。ソフトウェアとして設けられるシステムコンポーネントは、ソースプログラム、実行可能プログラム（オブジェクトコード）、スクリプト、または実施される命令集合を包含する他のエンティティとしても構築されうる。ソースプログラムとして構築される時には、メモリに含まれるか含まれないコンパイラ、アセンブラ、インタープリタ、その他を介してプログラムが翻訳される。
【００９１】
システムＩ／Ｏインタフェースに結合されうる、開示の入力および出力装置は、例えば限定的ではないが、キーボード、マウス、スキャナ、マイクロフォン、カメラ、モバイル装置、近接装置などの入力装置を含みうる。さらに、出力装置は、例えば限定的ではないが、プリンタ、ディスプレイ、マクロ気候装置、ミクロ気候装置などを含む。最後に、入力および出力装置はさらに、例を挙げると、限定的ではないが、モジュレータ／デモジュレータ（別の装置、システム、またはネットワークにアクセスするためのモデム）、無線周波数（ＲＦ）や他のトランシーバ、電話インタフェース、ブリッジ、ルータなど、入力および出力の両方として通信する装置を含みうる。
【００９２】
制御装置２２が作動している時に、プロセッサは、メモリに記憶されたソフトウェアを実行し、メモリに対してデータを通信し、ソフトウェアにしたがってコンピューティング装置の動作を概ね制御するように構成されうる。メモリ内のソフトウェアは、全体的または部分的に、プロセッサにより読み取られ、おそらくはプロセッサ内にバッファリングされてから実行される。
【００９３】
例示された実施形態には特定のコンポーネント配置が開示されているが、他の配置も有利であることも理解されるべきである。特定のステップシーケンスが図示、記載、および請求されているが、ステップは、他に指摘がなければ、いかなる順序で実施されても、分離されるか組み合わされてもよく、それでも本発明による利点を備えることが理解されるべきである。
【００９４】
多様な例は、図に示された具体的なコンポーネントを有するが、本発明の実施形態はこれらの特定実施形態に限定されるわけではない。例の一つによるコンポーネントまたは特徴のうち幾つかを別の例による特徴またはコンポーネントとの組み合わせで使用することが可能である。
【００９５】
実施形態例が開示されたが、ある変形が請求項の範囲に含まれることを当業者であれば認識するだろう。その理由から、真の範囲および内容を判断するには以下の請求項が検討されるべきである。
【図１】
2017536287.tif 000003
【図２】
2017536287.tif 000004
【図３】
2017536287.tif 000005
【図４】
2017536287.tif 000006
【図５】
2017536287.tif 000007
【図６】
2017536287.tif 000008
【図７】
2017536287.tif 000009
【国際調査報告】
2017536287.tif 000010
2017536287.tif 000011
2017536287.tif 000012